(57)【要約】      （修正有）【課題】  棚板の下面側に設けられた補強桟に特別な加工等を施すことなく、補強桟に押圧力を付与して棚板を固定的に支持することのできる棚板支持用ブラケット及び棚板支持構造を提供すること。【解決手段】  前後の棚板１４，１５の側端部に位置する棚板２０が、支柱１０の穴２６に係り合うブラケット１８を介して支持されている。ブラケット１８は、棚板２０の前端側コーナーに向かって延びる本体部４０と、支柱１０の穴に係り合うフック部４１と、棚板の下面側に設けられた前部補強桟５１を前方に向けて押圧する突部４６を備えている。補強桟５１は、各ブラケット１８の先端側の相互間隔を拡大させる強制力を付与し、各突部４６を補強桟５１の後部側に移動させた後に、前記強制力を解除してブラケット１８が初期位置に復帰しようとする反発力で突部４６が補強桟５１を押圧し、この押圧力によって棚板２０が固定的に支持される。【選択図】図５
2006204729.tif 000002
【特許請求の範囲】
【請求項１】
支柱の面内に形成された穴に係り合わせて当該支柱に支持される棚板支持用ブラケットにおいて、
前記支柱から前方に突出する方向に延びる本体部と、この本体部の後部に連設されるとともに前記穴に係り合うフック部と、棚板の下面側に設けられた所定の突出部に接する突部とを備え、この突部は、前記突出部に押圧力を付与して当該棚板の位置を固定することを特徴とする棚板支持用ブラケット。
【請求項２】
前記突部は、前記本体片を弾性変位させたときに生ずる反発力により前記押圧力を付与することを特徴とする請求項１記載の棚板支持用ブラケット。
【請求項３】
前記本体部の前記フック部側に補強部材が更に設けられ、当該補強部材は、前記支柱の側面部分に接して前記フック部との間に支柱の一部を挟み込むことを特徴とする請求項１又は２記載の棚板支持用ブラケット。
【請求項４】
支柱と、当該支柱の面に形成された穴に係り合うブラケットと、このブラケットを介して支持される棚板とを含む棚板支持構造において、
前記ブラケットは、前記支柱から突出する方向に延びる本体部と、この本体部の後部に連設されるとともに前記穴に係り合うフック部と、前記棚板の下面側に設けられるとともに所定の長さを備えた突出部に接する突部とを備え、
前記ブラケットは、前記突出部の延出方向に対して平面内で斜め方向に横切るように支柱に支持され、
前記棚板をブラケットに支持させて前記突出部に突部を接触させたときに、当該突部が突出部に押圧力を付与して棚板の位置を固定することを特徴とする棚板支持構造。
【請求項５】
前記支柱は棚板の後部中央に位置する一方、前記ブラケットは棚板の前端側各コーナーに向かう一対配置とされ、これらブラケットを支柱に支持させた初期位置に対して先端側の相互間隔を強制的に拡大して弾性変位させた後の反発力を利用することで、前記突部が突出部を後方から前方に押圧して前記棚板の位置を固定することを特徴とする請求項４記載の棚板支持構造。
【請求項６】
前記本体部の前記フック部側には補強部材が更に設けられ、当該補強部材は、前記支柱の側面部分に接して前記フック部との間に支柱の一部を挟み込むことを特徴とする請求項４又は５記載の棚板支持構造。
【請求項７】
前記支柱は平面視略方形に設けられ、前記穴は支柱の前端面に形成されていることを特徴とする請求項４，５又は６記載の棚板支持構造。
【発明の詳細な説明】
【技術分野】
【０００１】
本発明は棚板支持用ブラケット及び棚板支持構造に係り、更に詳しくは、棚板の下面側に設けられた突出部、例えば、補強桟を利用して棚板を固定的に支持することのできる棚板支持用ブラケット及び棚板支持構造に関する。
【背景技術】
【０００２】
商品等を陳列する棚装置としては、左右一対となるように配置された支柱の前後各面にそれぞれブラケットを取り付けておき、これらブラケットに棚板を載せて支柱の前後両側に棚板をそれぞれ配置し、また、これら前後の棚板の各側端に沿う位置に棚板を配置することにより、支柱回りに棚板を存在させて前後の棚板の上面が側端に位置する棚板を介して相互に連なる陳列領域とする棚装置が知られている。
【０００３】
前記棚装置における側端部の棚板を支持する従来構造としては、例えば、特許文献１に開示されている。同特許文献に記載された棚板支持構造は、支柱の面内に形成されたスロット穴に係り合うフック部を備えたブラケットが用いられ、当該ブラケットの先端側を棚板の下面側に設けられた補強桟に係り合わせる、という構成が採用されている。
【０００４】
【特許文献１】特開２０００−２６２３３７号公報
【発明の開示】
【発明が解決しようとする課題】
【０００５】
しかしながら、特許文献１に記載された棚板支持構造にあっては、補強桟の一部に穴を形成し、この穴にブラケットの先端側に設けられた爪状部を係り合わせる、という構成であるため、補強桟自体に特別の加工を施さなければならない、という不都合がある。しかも、補強桟の穴に爪状部が入り込んで相互の係り合いが正確に行われたことを確認する必要があり、組み立て作業も面倒を伴うものとなる。また、棚板支持用のブラケットは、略鉛直面内に位置する片状をなす形状を基本形状として採用しているため、補強桟の穴とブラケットの爪状部とを係り合わせるべくブラケットを平面内で強制的に回転変位させたときに、フック部側に応力が集中し、当該フック部側の領域に思わぬ変形を与えてしまう、という不都合を招来する。更に、特許文献１に開示された支柱は、ブラケットを棚板の前端コーナー側に向かわせるために、当該コーナーに略対応する傾斜面を備えたものとされ、角柱状をなす汎用型の支柱を採用することができず、経済性に劣るものとなっている。
【０００６】
［発明の目的］
本発明は、このような不都合に着目して案出されたものであり、その目的は、棚板を支持する作業を簡易且つ迅速に行うことのできる棚板支持用ブラケット及び棚板支持構造を提供することにある。
【０００７】
また、本発明の目的は、棚板に通常用いられている補強桟等に特別な加工を施す必要がなく、当該補強桟を利用して安定した支持を実現することのできる棚板支持用ブラケット及び棚板支持構造を提供することにある。
【０００８】
本発明の更に他の目的は、汎用タイプの支柱を利用することができるとともに、支柱に係り合う領域の剛性を高めて変形要因を解消することのできる棚板支持用ブラケット及び棚板支持構造を提供することにある。
【課題を解決するための手段】
【０００９】
前記目的を達成するため、本発明は、支柱の面内に形成された穴に係り合わせて当該支柱に支持される棚板支持用ブラケットにおいて、
前記支柱から前方に突出する方向に延びる本体部と、この本体部の後部に連設されるとともに前記穴に係り合うフック部と、棚板の下面側に設けられた所定の突出部に接する突部とを備え、この突部は、前記突出部に押圧力を付与して当該棚板の位置を固定する、という構成を採っている。ここで、前記突部は、前記本体片を弾性変位させたときに生ずる反発力により前記押圧力を付与するように設けることができる。
【００１０】
前記ブラケットにおいて、前記本体部の前記フック部側に補強部材が更に設けられ、当該補強部材は、前記支柱の側面部分に接して前記フック部との間に支柱の一部を挟み込むように設けることが好ましい。
【００１１】
また、本発明は、支柱と、当該支柱の面に形成された穴に係り合うブラケットと、このブラケットを介して支持される棚板とを含む棚板支持構造において、
前記ブラケットは、前記支柱から突出する方向に延びる本体部と、この本体部の後部に連設されるとともに前記穴に係り合うフック部と、前記棚板の下面側に設けられるとともに所定の長さを備えた突出部に接する突部とを備え、
前記ブラケットは、前記突出部の延出方向に対して平面内で斜め方向に横切るように支柱に支持され、
前記棚板をブラケットに支持させて前記突出部に突部を接触させたときに、当該突部が突出部に押圧力を付与して棚板の位置を固定する、という構成を採っている。
【００１２】
前記棚板支持構造において、前記支柱は棚板の後部中央に位置する一方、前記ブラケットは棚板の前端側各コーナーに向かう一対配置とされ、これらブラケットを支柱に支持させた初期位置に対して先端側の相互間隔を強制的に拡大して弾性変位させた後の反発力を利用することで、前記突部が突出部を後方から前方に押圧して前記棚板の位置を固定するように設けることができる。ここで、本体部の前記フック部側には補強部材が更に設けられ、当該補強部材は、前記支柱の側面部分に接して前記フック部との間に支柱の一部を挟み込むように設けるとよい。
【００１３】
更に、前記支柱は平面視略方形に設けられ、前記穴は支柱の前端面に形成されたものを採用することができる。
【発明の効果】
【００１４】
本発明によれば、ブラケットにおける本体部の反発力を利用して、突部が棚板の突出部に押圧力を付与する構成であるため、この突出部として、例えば、補強桟を利用した場合には、当該補強桟に特別な加工を施すことなく棚板を形成することができる。また、突部は、本体部の一部を起立させる等の手法によって形成できるので、ブラケットの構造自体もシンプルなものとし、コスト的な負担も伴うことがない。
【００１５】
更に、ブラケットの本体部において、フック部と相互に作用して支柱の一部を挟み込む補強部材を設けた構成により、フック部側の強度を増大させることができるとともに、支柱に対するブラケットの位置を安定させることができる。
【００１６】
また、本発明は、一対のブラケットが支柱に支持された状態で、棚板の前端側各コーナーに向かって延びる初期位置に対して先端側の相互間隔を強制的に拡大させ、その後の反発力を利用して突部が突出部を押圧して棚板の位置を固定する構造であるため、棚板をブラケット上に載せた後の前記相互間隔を拡大させる力の付与を解除するだけで、棚板を固定的に支持することができ、目視等による位置決め作業も不要となる。
【００１７】
また、支柱は、平面視略方形に設けられたものを採用する構造であり、一般的な棚装置に用いられた支柱を利用した棚板支持構造とすることができる。
【発明を実施するための最良の形態】
【００１８】
以下、本発明の好ましい実施形態を図面を参照しながら説明する。
【００１９】
図１には、本実施形態に係る棚板支持構造の要部概略斜視図が示され、図２及び図３には、その分解斜視図が示されている。これらの図において、相互に略平行に配置される左右一対の支柱１０（図中左側のみ示されている）間に、仕切り部材１１が配置されているともに、当該仕切り部材１１の前後両側には、第１のブラケット１２（図２参照）を介して前部棚板１４及び後部棚板１５が配置されている。これら前部棚板１４及び後部棚板１５の側端部には、第２及び第３のブラケット１７，１８を介して棚板２０が支持されている。
【００２０】
前記支柱１０は、第１の支柱１０Ａと、当該第１の支柱１０Ａに連結される第２の支柱１０Ｂとにより構成されている。これら支柱１０Ａ、１０Ｂは、平面視略長方形状の角柱パイプ状をなす略同一構造を備えたものであり、第１の支柱１０Ａの外側端面に第２の支柱１０Ｂの長寸側端部を突き当てて平面視略Ｔ字状にした状態で、それらの上下両端にキャップ２２を嵌合させることで相互に連結されている。第１の支柱１０Ａの前後各面には、二列となるスロット穴２５Ａ、２５Ｂが上下方向に沿って所定間隔をおいて形成され、内側のスロット穴２５Ａに前後の各棚板１４，１５を支持するための第１のブラケット１２が係り合い、外側のスロット穴２５Ｂに棚板２０の後部側を支持するための第２のブラケット１７が係り合うようになっている。また、第２の支柱１０Ｂは、第１の支柱１０Ａとは反対側の外側端面に二列のスロット状の穴２６を備え、これら穴２６の各列を利用して前記第３のブラケット１８，１８がそれぞれ支持される。
【００２１】
なお、前部棚板１４及び後部棚板１５の支持構造は、実質的に公知の棚装置における構造と同様であり、従って、その詳細な説明は省略するものとし、以下では、これら前部棚板１４及び後部棚板１５の側端部に位置して支柱１０回りに連続する陳列用平面を形成する棚板２０の支持構造について説明する。
【００２２】
前記第２のブラケット１７は、第１の支柱１０Ａに対して前後方向に延びるとともに面位置が略鉛直面内に向けられた片状部３０と、この片状部３０の一端側に設けられるとともに、第１の支柱１０Ａにおける外側のスロット穴２５Ｂに係り合うフック状部３３とを備えて構成されている。この第２のブラケット１７は、棚板２０の後部を支持したときに、当該棚板２０の後端壁２０Ａ（図５参照）の内面に片状部３０の面が略接するとともに、片状部３０の上端縁が棚板２０の下面に突き当たり、これにより、棚板２０が第２のブラケット１７によって前方への移動が規制された状態で支持される。
【００２３】
前記第３のブラケット１８は、図３及び図４に示されるように、面位置が略鉛直面内に向けられる片状の本体部４０と、この本体部４０の一端側に連設されるとともに、前記第２の支柱１０Ｂの穴２６に挿入されて当該穴２６回りに係り合う複数のフック部４１と、本体部４０の上端に連設されて略水平面内に位置する上部平面部４３と、この上部平面部４３の先端部に設けられた補強用の起立片４５と、当該起立片４５よりも後方位置に設けられた片状の突部４６と、本体部４０の後部側において、前記フック部４１に併設された補強部材４７とを備えて構成されている。第３のブラケット１８は、前記棚板２０の前端側を正面に見たときに、その左右両側に対称形状となる二つの部材により構成され、これら第３のブラケット１８，１８は、第２の支柱１０Ｂに支持された状態で、棚板２０の前端側コーナーに向かって真っ直ぐに延びて平面視略「ハ」字状となる位置を初期位置として配置される。従って、ここでは、説明の便宜上、図中各ブラケット１８，１８の各部参照符号は同一符号を用いるものとする。
【００２４】
前記本体部４０は、後部側（支柱１０側）の上下幅が相対的に大きく形成されて本体部４０の支持強度が高められるようになっている。この本体部４０は、フック部４１の基部片４８に対して屈曲した角度に設けられており、これにより、フック部４１を穴２６に挿入して係り合わせたときに、本体部４０の先端側が棚板２０の前端側のコーナーに向かって延びることとなる（図５参照）。
【００２５】
起立片４５は、上部平面部４３の先端部を上向きに屈曲させることによって形成され、突部４６は、上部平面部４３の側端部分を上向きに屈曲させることによって形成されている。これら起立片４５と突部４６との離間幅Ｗ（図３参照）は、後述する補強桟の前後幅における前後の垂下面部間距離よりも大きく設定されている。
【００２６】
前記補強部材４７は、本体部４０に溶接等の手段を介して固定されている。この補強部材４７は、本体部４０及び前記基部片４８の上下幅と略同一の上下幅を備えた板状に設けられている。具体的には、本体部４０に固定される接合面部４７Ａと、この接合面部４７Ａの後端に連なるとともに、前記基部片４８及びフック部４１と略平行に向けられた延長面部４７Ｂとからなる。延長面部４７Ｂと基部片４８との間の隙間寸法は、前記フック部４１が穴２６に挿入されたときに、第２の支柱１０Ｂの片側外側面に接して当該第２の支柱１０Ｂの一部、すなわち、片側略半分領域をフック部４１と相互に作用して挟み込む寸法に設定されている。
【００２７】
前記棚板２０は、図５及び図６に示されるように、平面視略方形をなす棚板面部５０の下面側に固定されるとともに当該棚板面部５０の図５中左右方向に延びる突出部としての前部補強桟５１と、後部補強桟５２とを含み、後部中央部には、前記支柱１０と干渉することなく当該支柱１０を受容する切欠部５３が形成されている。前部補強桟５１と後部補強桟５２は、実質的に同一の構造体をなし、棚板面部５０の下面にスポット溶接される前後一対の固定面部５５，５５と、これら固定面部５５の相対する端部に連なる前後の垂下面部５６Ａ，５６Ｂと、当該垂下面部５６Ａ，５６Ｂの下端間に連なる下平面部５７とを備えて構成されている。
【００２８】
次に、本実施形態における棚板２０の支持方法について説明する。
【００２９】
図３に示されるように、第１の支柱１０Ａの前後各面に形成されたスロット穴２５Ｂ、２５Ｂに第２のブラケット１７，１７のフック状部３３を挿入して当該第２のブラケット１７，１７を支持させておく。また、第３のブラケット１８，１８の各フック部４１，４１を第２の支柱１０Ｂの穴２６，２６に挿入し、当該穴２６回りに係り合わせて第３のブラケット１８，１８を第２の支柱１０Ｂにそれぞれ支持させる。第３のブラケット１８，１８を第２の支柱１０Ｂに支持させた状態では、第２の支柱１０Ｂの側端面に補強部材４７の延長面部４７Ｂが略接触する状態となり、この延長面部４７Ｂとフック部４１とにより、第２の支柱１０Ｂの片側略半分領域がそれぞれ挟み付けられるようになり、第３のブラケット１８，１８は棚板２０の前端側コーナーに直線状に向かって平面視ハ字状となる初期位置に保たれる（図４参照）。
【００３０】
このようにして第２及び第３のブラケット１７，１８をそれぞれ支持した状態で、棚板２０を上方に合わせ、当該棚板２０を各ブラケット１７，１８上に載せる。これにより、第２のブラケット１７は、棚板２０の後端壁２０Ａの内面に略接する状態となって棚板２０の前方への移動を規制する状態となる。この一方、第３のブラケット１８，１８の各突部４６，４６上には、補強桟５１の下部平面部５７が乗り上げた位置となる。これは、第３のブラケット１８，１８を第２の支柱１０Ｂに支持させた初期位置における突部４６，４６の位置が、補強桟５１における後部側の垂下面部５６Ｂよりも前方に位置するように予め設定されているためである。
【００３１】
そこで、第３のブラケット１８，１８の各先端部の相互間隔を離すように拡開させる強制的な力を付与すると、本体部４０が弾性変位して各ブラケット１８，１８の前記相互間隔が拡大することとなり、これにより、突部４６，４６は、後部側の垂下面部５６Ｂよりも後方に移動し、このとき、補強桟５１が下部平面部５７が本体片４０の上端縁に「カタン」という音を発しながら乗ることとなる。そして、この状態で第３のブラケット１８に対する前記強制的な力の付与を解除することで、当該第３のブラケット１８，１８の先端側は反発力によって初期位置に復帰する方向に回転し、突部４６，４６が後部側の垂下面部５６Ｂに接して補強桟５１に対して前向きの押圧力を付与することとなる。この際、第２のブラケット１７により、棚板２０は、前方への移動が規制された状態にあるため、前記押圧力は、棚板２０を固定的に支持する作用を発揮することとなる。
【００３２】
従って、このような実施形態によれば、棚板２０の補強桟５１に穴等を設けることなく第３のブラケット１８，１８に形成された突部４６によって棚板２０を安定した状態で支持することができる、という効果を得る
【００３３】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量その他の詳細な構成において、当業者が様々な変形を加えることができるものである。
従って、上記に開示した形状、位置、数量などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３４】
例えば、前記実施形態では、第２のブラケット１７が第１の支柱１０Ａに支持された状態で棚板２０の後部を支持する構成としたが、本発明はこれに限定されるものではなく、第２の支柱１０Ｂの側面にスロット穴を設け、当該スロット穴に第２のブラケット１７を支持させるようにしてもよい。また、第２のブラケットは、必ずしも用いることを要しない。この場合、棚板２０の後端部と前後の棚板１４，１５の側端部とを相互に連結する構成を採用すれば、棚板２０の前方への移動が規制されるので、前記突部４６による補強桟５１に押圧力を作用させることができる。
【００３５】
また、第３のブラケット１８，１８は、先端の起立片４５，４５が補強桟５１に対して後向きの押圧力を付与するように設けることもできる。すなわち、第３のブラケット１８が初期位置にあるときに、起立片４５が前記補強桟５１の前部側垂下面部５６Ａよりも後方に位置するように予め設定し、第３のブラケット１８，１８の各先端側を相互に接近させる方向に強制的な力を付与することで、起立片４５，４５を前部側垂下面部５６Ａよりも前方に位置可能とし、その後に強制的な力の付与を解除することで、起立片４５，４５が前部側の垂下面部５６Ａに対して後方に押圧力を付与するように設けてもよい。この場合、棚板２０の後方への移動は、支柱１０が棚板２０の切欠部５３内に位置して規制された状態にあるため、第２のブラケット１７は省略することもできる。要するに、本発明は、棚板２０の補強桟側に特別な加工を施すことなく当該補強桟を利用して棚板の位置を固定的に保つことができる構成であれば足りる。
【００３６】
更に、前記実施形態では、突部４６が補強桟５１を前方に押圧する構成としたが、例えば、所定の長さを有する市販のＬ型金具等を棚板２０の下面側に配置し、これを突出部として突部４６で押圧する構成や、棚板２０の前端垂下壁若しくは側壁を突出部として利用し、当該前端垂下壁若しくは側壁を突部４６で押圧する構成等も採用することができる。
【図面の簡単な説明】
【００３７】
【図１】実施形態に係る棚板支持構造の要部概略斜視図。
【図２】図１の一部分解斜視図。
【図３】棚板支持構造の要部を分解した拡大斜視図。
【図４】第２及び第３のブラケットが支柱に支持された状態を示す要部拡大斜視図。
【図５】第２及び第３のブラケットが棚板を支持した状態を示す底面図。
【図６】第３のブラケットが棚板を支持した状態を示す側面図。
【符号の説明】
【００３８】
１０  支柱
１８  第３のブラケット
２０  棚板
２６  穴
４０  本体部
４１  フック状部
４６  突部
４７  補強部材
５１  前部補強桟（突出部）
Ｗ  離間幅
【図１】
2006204729.tif 000003
【図２】
2006204729.tif 000004
【図３】
2006204729.tif 000005
【図４】
2006204729.tif 000006
【図５】
2006204729.tif 000007
【図６】
2006204729.tif 000008